(57)【要約】  本発明は、電気制御ユニット及びエアーコンディショナーを提供する。電気制御ユニットは、台座と、電気制御ボックスユニットとを備え、電気制御ボックスユニットに制限部材が設けられ、台座に取り付け部材が設けられ、制限部材が取り付け部材に嵌合されることで、電気制御ボックスユニットの台座に対する移動を制限し、電気制御ボックスユニットと台座とを固定する。本発明では、制限部材が取り付け部材に嵌合されることで、電気制御ボックスユニットの台座に対する移動を制限し、電気制御ボックスユニットと台座とを固定することができる。本発明によれば、電気制御ユニットは、脱着しやすく、電気制御ユニットのコストを削減させることができる。【選択図】図１
2021503174.tif 000002
【特許請求の範囲】
【請求項１】
台座（２）と、電気制御ボックスユニット（３）とを備える電気制御ユニットであって、
前記電気制御ボックスユニット（３）に制限部材（４）が設けられ、
前記台座（２）に取り付け部材（５）が設けられ、
前記制限部材（４）が前記取り付け部材（５）に嵌合されることで、前記電気制御ボックスユニット（３）の前記台座（２）に対する移動を制限しつつ、前記電気制御ボックスユニット（３）及び前記台座（２）を固定する、ことを特徴とする電気制御ユニット。
【請求項２】
前記制限部材（４）は、制限部（６）を含み、
前記制限部（６）が前記電気制御ボックスユニット（３）の一側面に設けられ、前記取り付け部材（５）に当接部（１２）が設けられ、
前記制限部（６）が前記当接部（１２）に当接することを特徴とする請求項１に記載の電気制御ユニット。
【請求項３】
前記当接部（１２）は、当接面（１３）を有し、
前記制限部（６）は、制限面（７）を有し、
前記制限部（６）が前記当接部（１２）に対して所定の位置まで摺動した後、前記制限面（７）が前記当接面（１３）に当接することで、前記電気制御ボックスユニット（３）の前記台座（２）に対する変位を制限する、ことを特徴とする請求項２に記載の電気制御ユニット。
【請求項４】
前記制限部（６）は、第１案内面（８）を有し、
前記当接部（１２）は、第２案内面（１４）を有し、
前記第１案内面（８）が前記第２案内面（１４）に対して所定の位置まで摺動した後、前記制限面（７）が前記当接面（１３）に当接する、ことを特徴とする請求項３に記載の電気制御ユニット。
【請求項５】
前記制限部（６）は、案内段（１５）と制限段（１６）とを含み、
前記案内段（１５）が前記取り付け部材（５）に接続され、
前記制限段（１６）が前記案内段（１５）の一端に鋭角となるように接続されて、
前記第２案内面（１４）が前記案内段（１５）の前記制限段（１６）とは反対側の面に設けられ、
前記制限面（７）が前記制限段（１６）の前記案内段（１５）とは反対側の面に設けられる、ことを特徴とする請求項４に記載の電気制御ユニット。
【請求項６】
前記制限部（６）は、リセット段（１７）をさらに含み、
前記リセット段（１７）の一端が前記制限段（１６）の前記案内段（１５）とは反対側の一端に接続され、
前記リセット段（１７）で前記制限段（１６）及び前記案内段（１５）を回転させることができ、前記制限面（７）と前記当接面（１３）とを当接から外す、ことを特徴とする請求項５に記載の電気制御ユニット（１）。
【請求項７】
前記制限部材（４）は、係止部（９）を含み、
前記取り付け部材（５）に挟持部（１８）がさらに設けられ、
前記係止部（９）が前記挟持部（１８）に係止される、ことを特徴とする請求項１に記載の電気制御ユニット（１）。
【請求項８】
前記係止部（９）は、Ｌ字型に相互に接続される第１係止段（１０）と第２係止段（１１）とを含み、
前記第１係止段（１０）の一端が前記電気制御ボックスユニット（３）に接続され、他端が前記第２係止段（１１）に接続される、ことを特徴とする請求項７に記載の電気制御ユニット（１）。
【請求項９】
前記挟持部（１８）は、第１段（１９）と、トランジション段（２０）と、第２段（２１）とを含む挟持孔であり、
前記第１段（１９）が前記トランジション段（２０）を介して前記第２段（２１）に接続され、
前記第１段（１９）の幅が前記第２段（２１）の幅がより大きい、ことを特徴とする請求項７に記載の電気制御ユニット（１）。
【請求項１０】
請求項１〜９のいずれか１項に記載の電気制御ユニット（１）を備える、ことを特徴とするエアーコンディショナー。
【発明の詳細な説明】
【技術分野】
【０００１】
本発明は、エアーコンディショナーの技術分野に関し、特に電気制御ユニット及びエアーコンディショナーに関する。
【背景技術】
【０００２】
エアーコンディショナーは、オンオフ及び運転を制御するための電気制御ボックスを備えており、電気制御ボックスは、台座と固定する必要がある。一般的には、電気制御ボックスは、複数のボルトを介して台座に接続されるが、ボルトを使うため、ネジバカなどの現象が発生しやすく、品質の信頼性を確保することができない。ボルトで接続されるため、全体が脱着しにくい。また、ボルト締めの生産効率が低く、コストが高まってしまう。
【発明の概要】
【発明が解決しようとする課題】
【０００３】
これに鑑みて、本発明は、脱着しやすく、コストを削減させる電気制御ユニットを提供することを目的とする。
【課題を解決するための手段】
【０００４】
上記目的を達成するために、本発明の技術案は以下のように実現される。
台座と、電気制御ボックスユニットとを備える電気制御ユニットであって、前記電気制御ボックスユニットに制限部材が設けられ、前記台座に取り付け部材が設けられ、前記制限部材が前記取り付け部材に嵌合されることで、前記電気制御ボックスユニットの前記台座に対する移動を制限し、前記電気制御ボックスユニットと前記台座とを固定する。
【０００５】
更に、前記制限部材は、制限部を含み、前記制限部が前記電気制御ボックスユニットの一側面に設けられ、前記取り付け部材に当接部が設けられ、前記制限部が前記当接部に当接する。
【０００６】
更に、前記当接部は、当接面を有し、前記制限部は、制限面を有し、前記制限部が前記当接部に対して所定の位置まで摺動した後、前記制限面が前記当接面に当接することで、前記電気制御ボックスユニットの前記台座に対する変位を制限する。
【０００７】
更に、前記制限部は、第１案内面を有し、前記当接部は、第２案内面を有し、前記第１案内面が前記第２案内面に対して所定の位置まで摺動した後、前記制限面が前記当接面に当接する。
【０００８】
更に、前記制限部は、案内段と制限段とを含み、前記案内段が前記取り付け部材に接続され、前記制限段が前記案内段の一端に鋭角となるように接続され、前記案内面が前記案内段の前記制限段とは反対側の面に設けられ、前記制限面が前記制限段の前記案内段とは反対側の面に設けられる。
【０００９】
更に、前記制限部は、リセット段をさらに含み、前記リセット段の一端が前記制限段の前記案内段とは反対側の一端に接続され、前記制限段で前記制限段及び前記案内段を回転させることができ、前記制限面と前記当接面とを当接から外す。
【００１０】
更に、前記制限部材は、係止部を含み、前記取り付け部材に挟持部が設けられ、前記係止部が前記挟持部に係止される。
【００１１】
更に、前記係止部は、Ｌ字型に相互に接続される第１係止段と第２係止段とを含み、前記第１係止段の一端が前記電気制御ボックスユニットに接続され、他端が前記第２係止段に接続される。
【００１２】
更に、前記挟持部は、第１段と、トランジション段と、第２段とを含む挟持孔であり、前記第１段が前記トランジション段を介して前記第２段に接続され、前記第１段の幅が前記第２段の幅より大きい。
【００１３】
従来技術に比べて、本発明に記載の電気制御ユニットは、以下の利点を有する。
電気制御ユニットは、台座と電気制御ボックスユニットとを備え、電気制御ボックスユニットに制限部材が設けられ、台座に取り付け部材が設けられ、制限部材が取り付け部材に嵌合されることで、電気制御ボックスユニットの台座に対する移動を制限し、電気制御ボックスユニットと台座とを固定する。本発明では、制限部材が取り付け部材に嵌合されることで、電気制御ボックスユニットの台座に対する移動を制限することができ、電気制御ボックスユニットと台座とを固定する。
【発明の効果】
【００１４】
本発明によれば、電気制御ユニットは、脱着しやすく、電気制御ユニットのコストを削減させる。
【００１５】
本発明の他の目的は、脱着しやすく、電気制御ユニットのコストを削減させるエアーコンディショナーを提供することである。
【００１６】
上記目的を達成するために、本発明の技術案は以下のように実現される。
電気制御ユニットを備えるエアーコンディショナーであって、前記電気制御ユニットは、台座と電気制御ボックスユニットとを備え、前記電気制御ボックスユニットに制限部材が設けられ、前記台座に取り付け部材が設けられ、前記制限部材が前記取り付け部材に嵌合されることで、前記電気制御ボックスユニットの前記台座に対する移動を制限し、前記電気制御ボックスユニットと前記台座とを固定する。
【００１７】
前記エアーコンディショナーは、が従来技術のそれに比べて、上記電気制御ユニットのと同じ利点を有し、ここで繰り返し説明しない。
【００１８】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００１９】
【図１】本発明の実施例１に記載の電気制御ユニットの分解図である。
【図２】本発明の実施例１に記載の電気制御ユニットの電気制御ボックスユニットの構造模式図である。
【図３】本発明の実施例１に記載の電気制御ユニットの断面図である。
【図４】本発明の実施例１に記載の電気制御ユニットの図３におけるＩＶ箇所の局所拡大図である。
【図５】本発明の実施例１に記載の電気制御ユニットの台座の構造模式図である。
【発明を実施するための形態】
【００２０】
なお、本発明の実施例及び実施例の特徴は、矛盾がない限り、互いに組み合わせることができる。
【００２１】
以下、図面を参照しながら実施例と組み合わせて本発明について詳細に説明する。
【００２２】
実施例１
図１を参照して、本実施例は、電気制御ユニット１を提供し、本実施例に係る電気制御ユニット１は、脱着しやすく、電気制御ユニット１のコストを削減させる。
【００２３】
本実施例では、電気制御ユニット１は、台座２と、電気制御ボックスユニット３とを備え、電気制御ボックスユニット３に制限部材４が設けられ、台座２に取り付け部材５が設けられ、制限部材４が取り付け部材５に嵌合されることで、電気制御ボックスユニット３の台座２に対する移動を制限しつつ、電気制御ボックスユニット３と台座２とを固定する。
【００２４】
本実施例では、制限部材４が取り付け部材５に嵌合されることで、電気制御ボックスユニット３の台座２に対する移動を制限し、電気制御ボックスユニット３と台座２とを固定することができる。本実施例では、電気制御ユニット１は、脱着しやすく、電気制御ユニット１のコストを削減させる。
【００２５】
図２を参照して、本実施例では、制限部材４は、制限部６を含み、制限部６が電気制御ボックスユニット３の一側面に設けられ、制限部６が取り付け部材５に当接することで、電気制御ボックスユニット３の台座２に対する変位を制限する。
【００２６】
本実施例では、制限部６は、制限面７を有し、制限部６が取り付け部材５に対して所定の位置まで摺動した後、制限面７が取り付け部材５に当接することで、電気制御ボックスユニット３の台座２に対する変位を制限する。
【００２７】
本実施例では、制限部６は、第１案内面８を有し、第１案内面８が取り付け部材５に対して所定の位置まで摺動した後、制限面７が取り付け部材５に当接する。
【００２８】
本実施例では、制限部６は、三角柱であり、三角柱は、３つの側面及び２つの端面を有し、そのうち、１つの側面が電気制御ボックスユニット３の側壁に接続され、残りの２つの側面のうち、１つの側面が当接面１３であり、もう１つが第１案内面８である。当接面１３及び第１案内面８がいずれも電気制御ボックスユニット３の側壁まで延在している。
【００２９】
本実施例では、当接面１３が電気制御ボックスユニット３の側壁に垂直であり、第１案内面８が電気制御ボックスユニット３の側壁に対して鋭角となるように設けられる。
【００３０】
なお、本実施例では、当接面１３が電気制御ボックスユニット３の側壁に垂直であり、第１案内面８が電気制御ボックスユニット３の側壁に対して鋭角となるように設けられる。しかしながら、これに限られず、本発明の他の実施例では、当接面１３が電気制御ボックスユニット３の側壁に対して鋭角となるように設けられ、第１案内面８が電気制御ボックスユニット３の側壁に垂直であってもよく、当接面１３及び第１案内面８がいずれも電気制御ボックスユニット３の側壁に対して鋭角となるように設けられてもよい。本実施例の等価技術案は、本実施例の効果を実現できれば、いずれも本発明の特許範囲に属する。
【００３１】
本実施例では、制限部材４は、係止部９をさらに含み、係止部９が取り付け部材５に係止され、台座２と制限部材４とを固定することができる。
【００３２】
本実施例では、係止部９は、電気制御ボックスユニット３の制限部６に隣接する底壁に設けられる。
【００３３】
本実施例では、係止部９は、Ｌ字型に相互に接続される第１係止段１０と第２係止段１１とを含み、第１係止段１０の一端が電気制御ボックスユニット３に接続され、他端が第２係止段１１に接続される。
【００３４】
本実施例では、第２係止段１１が取り付け部材５を貫通し、第１係止段１０及び第２係止段１１が取り付け部材５に対して移動することで、第１係止段１０と第２挟持段とを当接させて、台座２と電気制御ボックスユニット３とを固定する。
【００３５】
本実施例では、電気制御ボックスユニット３は、電気制御ボックス２３と、電気制御ボックス２３の外側に設けられる保護板２４とを含み、本実施例では、制限部６が保護板２４に設けられる。
【００３６】
なお、本実施例では、電気制御ボックスユニット３は、電気制御ボックス２３と、保護板２４とを含むが、これに限られず、本発明の他の実施例では、電気制御ボックスユニット３は、制限部６が設けられる電気制御ボックス２３のみを含んでもよい。本実施例の均等な代替案は、本実施例の効果を実現できれば、いずれも本発明の特許請求の範囲に属する。
【００３７】
図３及び図４を参照して、本実施例では、取り付け部材５に当接部１２が設けられ、制限部６が当接部１２に当接する。当接部１２は、当接面１３を有し、制限部６が当接部１２に対して所定の位置まで摺動した後、制限面７が当接面１３に当接することで、電気制御ボックスユニット３の台座２に対する変位を制限する。
【００３８】
本実施例では、当接部１２は、第２案内面１４を有し、第１案内面８が第２案内面１４に対して所定の位置まで摺動した後、制限面７が当接面１３に当接する。
【００３９】
本実施例では、第２係止段１１が取り付け部材５を貫通して、取り付け部材５に対して移動するとき、第１案内面８が第２案内面１４に当接し、第２案内面１４に対して摺動し、第１案内面８が第２案内面１４に対して所定の位置まで摺動した後、当接面１３が制限面７に当接することで、電気制御ボックスユニット３の台座２に対する変位を制限する。
【００４０】
本実施例では、第１案内面８が第２案内面１４に当接し、第２案内面１４に対して摺動し、第２案内面１４が第１案内面８から外れるとき、第１案内面８が第２案内面１４に対して所定の位置まで摺動する。
【００４１】
本実施例では、制限部６は、案内段１５と、制限段１６とを含み、案内段１５が取り付け部材５に接続され、制限段１６が案内段１５の取り付け部材５から離れる一端に鋭角となるように接続され、案内面が案内段１５の制限段１６とは反対側に設けられ、制限面７が制限段１６の案内段１５とは反対側に設けられる。
【００４２】
本実施例では、制限部６は、リセット段１７をさらに含み、リセット段１７の一端が制限段１６の案内段１５とは反対側の一端に接続され、リセット段１７で制限段１６及び案内段１５を回転させて、制限面７と当接面１３とを当接から外すことができる。
【００４３】
本実施例では、電気制御ボックスユニット３と台座２とを固定する必要があるとき、第１案内面８が第２案内面１４に対して所定の位置まで摺動した後、制限面７が当接面１３に当接することで、電気制御ボックスユニット３の台座２に対する変位を制限する。取り外すとき、リセット段１７を押さえ、リセット段１７で制限段１６及び案内段１５を台座２に対して電気制御ボックスユニット３に接近する方向に回転させて、当接面１３と制限面７とを当接から外し、電気制御ボックスユニット３と台座２とを制限から外し、電気制御ボックスユニット３を取り外すことができる。
【００４４】
図５を参照して、本実施例では、取り付け部材５に挟持部１８が設けられ、係止部９が挟持部１８に係止される。
【００４５】
本実施例では、挟持部１８は、第１段１９と、トランジション段２０と、第２段２１とを含む挟持孔であり、第１段１９がトランジション段２０を介して第２段２１に接続され、第１段１９の幅が第２段２１の幅がより大きい。
【００４６】
本実施例では、トランジション段２０が第１段１９及び第２段２１に中継接続され、第１段１９の幅が第２段２１の幅より大きく、第１段１９を案内段１５とし、第２段２１を固定段とする。第２係止段１１が第１段１９で案内されてトランジション段２０を介して第２段２１に入った後、第２係止段１１が取り付け部材５の側壁に当接することで、電気制御ボックスユニット３の取り付け部材５に垂直な方向における変位を制限し、第１係止段１０が第２段２１の側壁に当接し、第２段２１に嵌合されることで、電気制御ボックスユニット３の取り付け部材５に平行する平面内の３つの方向の変位を制限する。第２段２１と第１段１９との連通方向以外の、残りの方向の変位がいずれも制限される。
【００４７】
本実施例では、第１段１９の幅が第２段２１の幅より大きく、第２係止段１１が第１段１９を貫通し、第１係止段１０及び第２係止段１１が第２段２１に接近する方向に移動し、第１係止段１０及び第２係止段１１が第２段２１まで移動した後、第１係止段１０が第２段２１に当接し、電気制御ボックスユニット３を固定する。
【００４８】
本実施例では、当接面１３が第１段１９と第２段２１との相対側壁に平行する。当接面１３が制限面７と相互に当接することで、第１段１９と第２段２１との連通方向における変位を制限し、電気制御ボックスユニット３を固定することができる。
【００４９】
本実施例に係る電気制御ユニット１の運転原理は以下のとおりである。本実施例では、第２係止段１１が第１段１９を介して取り付け部材５を貫通して、第２段２１に接近する方向に移動するとき、第１案内面８が第２案内面１４に相互に当接し、且つ第１案内面８が第２案内面１４に対して摺動し、第１案内面８が第２案内面１４に対して所定の位置まで摺動した後、当接面１３が制限面７に当接する。第１係止段１０が第２段２１の領域内まで摺動する。
【００５０】
電気制御ボックスユニット３を取り外す必要があるとき、リセット段１７を押させ、リセット段１７で案内段１５及び当接段を台座２に対して電気制御ボックスユニット３に接近する方向に移動させ、当接面１３と制限面７とを当接から外す。当接面１３と制限面７とが当接から外れた後、電気制御ボックスユニット３が第２段２１から離れる方向に移動し、第２係止段１１を第１段１９から取り出すれば、電気制御ボックスユニット３を取り外すことができる。
【００５１】
よって、本実施例に係る電気制御ユニット１は、電気制御ボックスユニット３の台座２に対する変位を制限して、電気制御ボックスユニット３を固定することができ、本実施例では、電気制御ボックスユニット３は、台座２に脱着しやすく、電気制御ユニット１のコストを削減させる。
【００５２】
実施例２
本実施例は、エアーコンディショナー（図示せず）を提供し、本実施例のエアーコンディショナーは、脱着しやすく、エアーコンディショナーのコストを削減させることができる。
【００５３】
説明を簡略化するために、本実施例で言及されないところは、実施例１を参照できる。
【００５４】
本実施例では、エアーコンディショナーは、実施例に係る電気制御ユニット１と、ハウジング（エアーコンディショナー）とを備え、台座２がハウジングに接続される。
【００５５】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００５６】
１  電気制御ユニット
２  台座
３  電気制御ボックスユニット
４  制限部材
５  取り付け部材
６  制限部
７  制限面
８  第１案内面
９  係止部
１０  第１係止段
１１  第２係止段
１２  当接部
１３  当接面
１４  第２案内面
１５  案内段
１６  制限段
１７  リセット段
１８  挟持部
１９  第１段
２０  トランジション段
２１  第２段
２３  電気制御ボックス
２４  保護板
【図１】
2021503174.tif 000003
【図２】
2021503174.tif 000004
【図３】
2021503174.tif 000005
【図４】
2021503174.tif 000006
【図５】
2021503174.tif 000007
【国際調査報告】
2021503174.tif 000008
2021503174.tif 000009
2021503174.tif 000010
2021503174.tif 000011
2021503174.tif 000012
2021503174.tif 000013